(57)【要約】【課題】ウェザストリップのカバーリップに引き剥き可能に取付けられ、内装材端部との間に巻き込まれたカバーリップを撥ね上げて内装材端部との間より引出すためのティアビードに簡易に取付けられる操作具を提供する。【解決手段】ティアビード２９を把持する把持部２２及び該把持部２２より突出形成される輪状の把持部２３よりなり、把持部２２はＵ形状をなす剛性の大なる本体２５と、両端が本体２５の両外側に屈曲可能に連結され、中間部が内向きに突出した略Ｖ形状をなし、両開口端部２６ａを厚肉にし、他を薄肉にして剛性を小さくした嵌合部２６よりなっている。取付時には、嵌合部２６をティアビード２９の外側より当ててティアビード２９に押込んだのちティアビード２９の内側から指先で嵌合部２６を挿入したティアビード２９と共に本体２５内に押込むと、厚肉の開口端部２６ａがティアビード２９を把持した状態で本体開口部に圧着し、保持される。【選択図】図６
2008006926.tif 000002
【特許請求の範囲】
【請求項１】
取付基部４と、内装材６端部に被さるカバーリップ７を備え、自動車車体のドア開口部周縁或いはドア周りに取付けられるウェザストリップ２８の前記取付基部４と対向するカバーリップ裏面又は該カバーリップ７と対向する取付基部側面に、その長手方向に沿って引裂き可能に一体形成され、内装材端部との間に巻き込まれたカバーリップ７を引出す際に用いられるティアビード２９に着脱可能に取付けられる操作治具であって、ティアビ−ド２９をワンタッチ操作で挟み込んで把持し、或いはその把持を解除することができる把持部２２と、該把持部２２より突設されるか、或いは一対の把持部２２を一定の間隔を存して連結する操作部２３よりなることを特徴とするカバーリップ引出し用操作具。
【請求項２】
前記把持部２２が剛性の大なる樹脂製のＵ形状本体２５と、両端がＵ形状本体２５の両外側面に連結され、中間部が内向きに突出した略Ｖ形状をなしてＵ形状本体内に押込み可能であり、着脱可能に嵌挿されるティアビード２９を嵌挿した状態でＵ形状本体内に押込み嵌着される可撓性のある樹脂製の嵌合部２６よりなる請求項１記載のカバーリップ引出し用操作具。
【請求項３】
取付基部４と、内装材６端部に被さるカバーリップ７を備え、自動車車体のドア開口部周縁或いはドア周りに取付けられるウェザストリップ２８の前記取付基部４と対向するカバーリップ裏面又は該カバーリップ７と対向する取付基部側面に、その長手方向に沿って引裂き可能に一体形成され、内装材端部との間に巻き込まれたカバーリップ７を引出す際に用いられるティアビード２９に着脱可能に取付けられる操作治具であって、ティアビード２９が引掛けられる引掛部４３及び該引掛部４３と一体をなす輪状の操作部４４と、上方に向って窄む中空状をなして上下が開口し、前記操作部４４は上下の開口に挿入可能であり、引掛部４３は下開口には挿入可能であるが、上開口からは抜け出し不可であるキャップ４５とよりなることを特徴とするカバーリップ引出し用操作具。
【請求項４】
取付基部４と、内装材６端部に被さるカバーリップ７を備え、自動車車体のドア開口部周縁或いはドア周りに取付けられるウェザストリップ２８の前記取付基部４と対向するカバーリップ裏面又は該カバーリップ７と対向する取付基部側面に、その長手方向に沿って引裂き可能に一体形成され、内装材端部との間に巻き込まれたカバーリップ７を引出す際に用いられるティアビード２９に着脱可能に取付けられる操作治具であって、可撓性のある紐状体の一端に係止孔４８を有すると共に、他端から該係止孔４８に通される紐状体の一側長手方向に、鋸歯状の係止部４９を形成してなるインシュロックよりなることを特徴とするカバーリップ引出し用操作具。
【請求項５】
取付基部４と、内装材６端部に被さるカバーリップ７を備え、自動車車体のドア開口部周縁或いはドア周りに取付けられるウェザストリップ２８の前記取付基部４と対向するカバーリップ裏面又は該カバーリップ７と対向する取付基部側面に、その長手方向に沿って引裂き可能に一体形成され、内装材端部との間に巻き込まれたカバーリップ７を引出す際に用いられるティアビード２９に取付けられる操作具であって、ゴム又は樹脂製シートよりなり、ティアビード２９に止着具５３により止着されることを特徴とするカバーリップ引出し用操作具。
【請求項６】
手で容易に引裂くことができる引裂き部５２を有することを特徴とするカバーリップ引出し用操作具。
【発明の詳細な説明】
【技術分野】
【０００１】
本発明は、自動車車体のドア開口部周縁或いはドア周りに取付けられ、内装材端部に被さるカバーリップを備えたウェザストリップにおいて、内装材端部との間に巻き込まれたカバーリップを引出すのに使用される操作具に関する。
【背景技術】
【０００２】
図１は、内装材端部に被さるカバーリップを備え、車体のドア開口部周縁に取付けられるウェザストリップ１について示すもので、断面略Ｕ形状の芯材２がインサートされ、車体側のフランジ３に差込んで取付けられる略Ｕ形断面の取付基部４と、該取付基部４の車外側の側面に突出形成され、ドア閉時にドア周縁部に弾接してドアとの間をシールする中空シール部５と、該中空シール部５より延設され、ガーニッシュや天井材などの内装材６の端部に被さるカバーリップ７よりなっている。
【０００３】
車両へのウェザストリップ１や内装材６の取付けは先ず、ウェザストリップ１を取付け、その後に内装材６の取付けが行われることから、内装材取付け時にカバーリップ端が図２に示すように内装材端部との間の隙間に巻き込まれ易い。巻き込まれたカバーリップ端の上記隙間からの引出しは従来、指先による引出し操作によって行われてきたが、下記特許文献１にはカバーリップ端の上記隙間からの引出しを容易にし、作業性を向上させるためのウェザストリップが提案されている。このウェザストリップは図３に示すように、カバーリップ１２と対向する取付基部１３の側面或いはカバーリップ１２の裏面に紐状部材１３を引裂き可能に一体形成し、ウェザストリップ１１より延出する紐状部材１３に薄肉シート状のタグ１４を取付けてなるもので、内装材端部との間に巻き込まれたカバーリップ１２の引出しは、タグ１４を図３の矢印方向に引き出すことにより行われ、タグ１４の矢印方向への引出しにより紐状部材１３が取付基部側面或いはカバーリップ裏面より引裂かれながら、カバーリップ１２を撥ね上げて内装材端部との間より引き出すようになっている。
【０００４】
図３に示す薄肉シート状のタグ１４に代わるものとして、図４に示すように中央部を括れさせたタグシート１６も知られる。このタグシート１６には、ウェザストリップ２８に一体形成した紐状部材であるティアビード１８を一定区間引裂いて、その中央部を切断し、切断された個々の端部をタグシート１６両側各切れ目１７を通して縛り付け、内装材端部との間に巻き込まれたカバーリップを引出す際には、中央部のくびれ部分１９を鋏やナイフ等で切断したのち、タグシート１６の各一半を図の左右方向に引出すことによりカバーリップを撥ね上げ内装材端部との間より引出すようにしている。
【特許文献１】特開２００６−６９２５３号
【発明の開示】
【発明が解決しようとする課題】
【０００５】
図３に示されるタグ１４には、紐状部材１３を通す複数の孔があけられ、該孔に紐状部材１３を通すことによって紐状部材１３端にタグ１４が連結されるようになっているが、タグ１４を引張ったとき紐状部材１３から抜けないようにするために紐状部材１３を複数の孔に通したり、孔に通した紐状部材１３を解けないように結んだりする必要がある。
【０００６】
また図４に示されるタグシート１６においても、ティアビード１８をタグシート１６の切れ目に通して縛り付け、更にはくびれ部分１９を鋏やナイフで切断する必要がある。
【０００７】
本発明の目的は、ウェザストリップの取付基部又はカバーリップに引裂き可能に取付けられ、内装材端部との間に巻き込まれたカバーリップを撥ね上げて内装材端部との間より引き出すための紐状部材であるティアビードに上述するタグ１４やタグシート１６よりも簡単に取付けることができる操作具を提供しようとするものである。
【課題を解決するための手段】
【０００８】
請求項１に係わる発明は、取付基部と、内装材端部に被さるカバーリップを備え、自動車車体のドア開口部周縁或いはドア周りに取付けられるウェザストリップの前記取付基部と対向するカバーリップ裏面又は該カバーリップと対向する取付基部側面に、その長手方向に沿って引裂き可能に一体形成され、内装材端部との間に巻き込まれたカバーリップを引出す際に用いられるティアビードに着脱可能に取付けられる操作具であって、ティアビ−ドをワンタッチ操作で挟み込んで把持し、或いはその把持を解除することができる把持部と、該把持部より突設されるか、或いは一対の把持部を一定の間隔を存して連結する操作部よりなることを特徴とする。
【０００９】
本発明で用いる操作具の把持部は、ティアビードにワンタッチ操作で取付けることができるようなものであればよく、その種類に制限はない。敢えて例示すれば、ティアビードに強制嵌合されるか、或いは開閉可能なクリップ、車両や航空機に配置されるワイヤー、コード、ケーブル等よりなるハーネスを把持する、例えば全体が樹脂製の把持具等が挙げられる。
【００１０】
操作部は手で掴むことができるようなものであれば、どのような形状をなすものであってもよい。
【００１１】
請求項２に係わる発明は、請求項１に係わる発明の把持部が剛性の大なる樹脂製のＵ形状本体と、両端がＵ形状本体の両外側面に連結され、中間部が内向きに突出した略Ｖ形状をなしてＵ形状本体内に押込み可能であり、着脱可能に嵌挿されるティアビードを嵌挿した状態でＵ形状本体内に押込み嵌着される可撓性のある樹脂製の嵌合部よりなり、Ｕ形状本体の開口端には好ましくは係止爪が内向きに突設され、また嵌合部も開口部が好ましくは厚肉で内向きに突出形成される。
【００１２】
請求項３に係わる発明は、取付基部と、内装材端部に被さるカバーリップを備え、自動車車体のドア開口部周縁或いはドア周りに取付けられるウェザストリップの前記取付基部と対向するカバーリップ裏面又は該カバーリップと対向する取付基部側面に、その長手方向に沿って引裂き可能に一体形成され、内装材端部との間に巻き込まれたカバーリップを引出す際に用いられるティアビードに着脱可能に取付けられる操作具であって、ティアビードが引掛けられる引掛部及び該引掛部と一体をなす輪状の操作部と、上方に向って窄む中空状をなして上下が開口し、前記操作部は上下の開口に挿入可能であり、引掛部は下開口には挿入可能であるが、上開口からは抜け出し不可であるキャップとよりなることを特徴とする。
【００１３】
請求項４に係わる発明は、取付基部と、内装材端部に被さるカバーリップを備え、自動車車体のドア開口部周縁或いはドア周りに取付けられるウェザストリップの前記取付基部と対向するカバーリップ裏面又は該カバーリップと対向する取付基部側面に、その長手方向に沿って引裂き可能に一体形成され、内装材端部との間に巻き込まれたカバーリップを引出す際に用いられるティアビードに着脱可能に取付けられる操作具であって、可撓性のある紐状体の一端に係止孔を有すると共に、他端から該係止孔に通される紐状体の一側長手方向に、鋸歯状の係止部を形成してなるインシュロックよりなることを特徴とする。
【００１４】
請求項５に係わる発明は、取付基部と、内装材端部に被さるカバーリップを備え、自動車車体のドア開口部周縁或いはドア周りに取付けられるウェザストリップの前記取付基部と対向するカバーリップ裏面又は該カバーリップと対向する取付基部側面に、その長手方向に沿って引裂き可能に一体形成され、内装材端部との間に巻き込まれたカバーリップを引出す際に用いられるティアビードに取付けられる操作具であって、ゴム又は樹脂製シートよりなり、ティアビードに例えばホッチキスのような止着具により止着されることを特徴とし、
請求項６に係わる発明は、請求項５に係わる発明の操作具が、例えば切れ目や薄肉部よりなり、手で容易に引裂くことができる引裂き部を有することを特徴とする。
本発明の引裂き部は、適所、例えば中央部に一か所形成されていてもよいし、複数ないし多数平行に形成されていてもよい。
【発明の効果】
【００１５】
請求項１に係わる発明の操作具によると、ティアビードを把持部によりワンタッチ操作で把持することができ、ティアビード把持の作業性を向上させることができ、また把持を解除してティアビードより外し、操作部を再使用することができる。把持部でティアビードを把持したのち、操作部を掴んでウェザストリップより離れる方向に操作すると、ティアビードがカバーリップ又は取付基部より引裂かれながら分離する。把持部によるティアビードの把持は、ウェザストリップ端より延出するティアビードに対して行うこともできるし、ウェザストリップに一体形成されるティアビードに対して行うこともできる。後者の場合、把持箇所のティアビードは一定区間、ウェザストリップより引き裂いておくのが望ましい。操作具の種類によっては、ティアビードを一定区間引き裂くことにより、ティアビードの把持作業が容易に行えるようになる。操作部によるティアビードの把持はまた、工場出荷段階において行っておいてもよいし、施工現場でカバーリップの引出しが必要になったときに行うようにしてもよい。
【００１６】
請求項２に係わる発明によると、把持部全体が樹脂で一体成形できるようになり、構造が簡単で安価に製造することができる。
【００１７】
請求項３に係わる発明によると、ティアビードを引掛部に引掛けてキャップに通し、該キャップを通り抜けた操作部を引出し操作することにより簡単にティアビードを把持することができ、またティアビードを引抜くように操作することにより引掛部と共に操作部がキャップから容易に抜き出るようになる。そしてティアビードを外したのちに操作具を再使用することもできる。
【００１８】
請求項４に係わる発明によると、ティアビードの周りを囲んで紐状体の一端を係止孔に通し、絞り込むように操作することによりティアビードを縛って締結し、ロック状態に把持することができ、また係止孔を通して解くことによりティアビードを外すことができ、外した後に操作具を再使用することもできる。
【００１９】
請求項５に係わる発明によると、ティアビードと操作具を止着具により簡易に止着することができ、作業性が向上する。
【００２０】
請求項６に係わる発明によると、ウェザストリップに一体形成されるティアビードを一定区間引裂いて中央部で切断し、切断した個々の端部を止着具により止着したのち、シート状操作具の引裂き部を手で引裂くことにより分割し、各分割片を引出し操作することによりティアビードを引裂きながらカバーリップの引出しを行うことができる。本発明の操作具において、引裂き部が複数ないし多数形成される場合、いずれか一か所の引裂き部で引裂きが行われる。
本発明の操作具は、引裂きを容易にするために材質をスポンジとするのが望ましい。
【発明を実施するための最良の形態】
【００２１】
以下、本発明の実施形態の操作具について図面により説明する。
図５に示す操作具２１は、全体がポリプロピレンのような硬質樹脂製で、ティアビードを把持する把持部２２と、該把持部２２より突出形成される輪状の把持部２３よりなっている。把持部２２は、厚肉でＵ形状をなし、開口端内側に係止爪２４を内向きに小さく突出形成した剛性の大なる本体２５と、両端が本体２５の両外側に屈曲可能に連結され、中間部が内向きに突出した略Ｖ形状をなし、両開口端部２６ａを厚肉にし、他を薄肉にして剛性を小さくした嵌合部２６よりなっている。
【００２２】
図６に示すウェザストリップ２８は、車体のドア開口縁に取付けられる図１に示すウェザストリップ１のカバーリップ１の裏面に容易に引裂くことができる連結部を介してティアビード２９をウェザストリップ２８の長手方向に一体形成してなるもので、ティアビード２９を一体形成した点のみが図１に示すウェザストリップ１と異なっている。
【００２３】
前記した操作具２１をウェザストリップ２８のティアビード２９に取付けるときには、操作具２１を取付ける取付箇所のティアビード２９を一定区間、カバーリップ７より引き裂いておく。ついで操作治具２１の嵌合部２６をティアビード２９の外側より当てて、ティアビード２９に押込み、ついでティアビード２９の内側から指先で嵌合部２６を挿入したティアビード２９と共に本体２５内に押込む。すると、厚肉の開口端部２６ａがティアビード２９を把持した状態で本体開口部に圧着し、保持される（図７）。図８はティアビード２９に操作具２１を取付けたウェザストリップ２８を示している。
【００２４】
図９に示す操作具３１は、図５に示す操作具２１において、本体２５の外層部２５ａをスポンジ製として一体形成したものである。
【００２５】
本実施形態の操作具３１によると、工場出荷段階で操作具３１を取付けておいても操作具３１が積み込まれた他のウェザストリップに当ってウェザストリップを傷める恐れを少なくすることができる。
【００２６】
図１０は、前述の操作具２１のうち、本体２５を一対、操作部となる連結部分３４で連結した操作具３３を用いてウェザストリップ２８のティアビード２９に取付けた例を示すもので、この場合、操作具３３は、一対の本体２５と、両本体２５を連結する連結部分３４とで構成される。
【００２７】
図１１に示す操作具４１は、全体がポリプロピレンのような硬質樹脂製で、ティアビード２９が引掛けられる両外側に係止爪４２を形成した引掛部４３及び該引掛部４３と一体をなす略楕円形の輪状の操作部４４と、中空状をなして上方に向って窄み、上下が開口するキャップ４５よりなり、操作部４４は押込むことによってキャップ４５の上下の開口に挿入可能であり、引掛部４３はキャップ４５の下開口には挿入可能であるが、上開口からは抜け出し不可となっている。
【００２８】
ティアビード２９を把持するときには、引掛部４３にティアビード２９の端部或いはウェザストリップより一定区間引き裂いたティアビード２９を引掛け、操作部４４側からキャップ４５に押込んで、キャップ４５の上開口から突出する操作部４４を強く引張り出し、係止爪４２を上開口のエッジに係止させる。これによりティアビード２９が把持される（図１２）。ティアビード２９の把持を解除するときには、ティアビード２９をキャップ４５から抜き出す方向、すなわち図の下方に強く引張る。これにより引掛部４３と共に操作部４４がキャップ４５から抜け出し、ティアビード２９が引掛部４３から外される。
【００２９】
図１３に示す操作具４７は、全体がナイロンのような硬質樹脂製で、紐状体をなし、一端には紐状体を通す係止孔４８を有すると共に、紐状体の一側長手方向には鋸歯状の係止部４９を形成したインシュロックよりなるものである。
【００３０】
ティアビード２９を把持するときには、ティアビード２９の端部或いはウェザストリップより一定区間引き裂いたティアビード２９の周りを囲んで紐状体の一端を係止孔４８に通し、係止孔４８より突出する紐状体を引張って締め込むことによりティアビード２９を縛って締着する（図１４）。これによりティアビード２９が把持される。ティアビードの把持を解除するときには、係止孔４８より突出する紐状体を押込み、締め込みを弛めてティアビード２９より抜くか、或いは係止孔４８より紐状体を抜き出す。
【００３１】
図１５に示す操作具１５は、図１６に示すように一側面に多数の縦溝５２を並設した断面波状をなし、縦溝５２を手で容易に引裂くことができる引裂き部としたゴムシートよりなるもので、ウェザストリップ２８に一体形成したティアビード２９を一定区間引裂いたのち、その中央部を鋏やナイフで切断し、切断した各端部をゴムシートよりなる操作具５１の各側部に止着具としてのホッチキスにより止着してなるものである。図中、５３はホッチキスの針を示す。
【００３２】
図１５に示す左右のティアビード２９を個々に引裂くときには、中央部の縦溝５２において、操作具５１を手で引裂いて分割し、分離した個々の操作具５１ａ、５１ｂを図１７の左右方向に引張る。これによりティアビード２９がウェザストリップ２８より引裂かれる。
【００３３】
本実施形態の操作具５１は、簡素な仕様のため製造コストが低減される。なお操作具５１としては、押出成形されたものを切断ないし打抜いて使用する場合、押出方向に異方性を持っているため、押出方向を引裂方向とすることにより引裂きが容易で安定したものとなり、また操作具５１をスポンジ製とすれば、引裂きがより一層容易となる。
【図面の簡単な説明】
【００３４】
【図１】フランジに取付けたウェザストリップの断面図。
【図２】カバーリップが巻き込まれた断面図。
【図３】紐状部材とタグを備えた従来のウェザストリップの端部の斜視図。
【図４】ティアビートにタグシートを取付けた従来例のウェザストリップの要部の正面図。
【図５】本発明に係わる操作具の正面図。
【図６】ティアビードを備えたウェザストリップの断面図。
【図７】ティアビードに取付けた図５に示す操作具の正面図。
【図８】ティアビードに操作具を取付けたウェザストリップの側面図。
【図９】本発明に係わる操作具の別の例の断面図。
【図１０】ティアビードに操作具を取付けたウェザストリップの側面図。
【図１１】本発明に係わる更に別の例の操作具を分解した正面図。
【図１２】ティアビードを把持した状態の断面図。
【図１３】本発明に係わる操作具の更に別の例を示す図。
【図１４】図１３に示す操作具によりウェザストリップ端のティアビードを把持した状態を示す図。
【図１５】本発明に係わる操作具の他の例によりティアビードを把持した状態を示す平面図。
【図１６】図１５のＡ−Ａ線拡大断面図。
【図１７】図１５に示す操作具を引裂いて分割し、ティアビードを引裂くときの状態を示す平面図。
【符号の説明】
【００３５】
１、２８・・ウェザストリップ
２・・芯材
３・・フランジ
４・・取付基部
５・・中空シール部
６・・内装材
７・・カバーリップ
２１、３１、３３、４１、４７、５１・・操作具
２２・・把持部
２３、４４・・操作部
２４、４２・・係止爪
２５・・本体
２５ａ・・外層部
２６・・嵌合部
２６ａ・・開口端部
２９・・ティアビード
３４・・連結部分
４３・・引掛部
４５・・キャップ
４８・・係止孔
４９・・係止部
５２・・縦溝
５３・・ホッチキスの針
【図１】
2008006926.tif 000003
【図２】
2008006926.tif 000004
【図３】
2008006926.tif 000005
【図４】
2008006926.tif 000006
【図５】
2008006926.tif 000007
【図６】
2008006926.tif 000008
【図７】
2008006926.tif 000009
【図８】
2008006926.tif 000010
【図９】
2008006926.tif 000011
【図１０】
2008006926.tif 000012
【図１１】
2008006926.tif 000013
【図１２】
2008006926.tif 000014
【図１３】
2008006926.tif 000015
【図１４】
2008006926.tif 000016
【図１５】
2008006926.tif 000017
【図１６】
2008006926.tif 000018
【図１７】
2008006926.tif 000019